(57)【要約】      （修正有）【課題】内袋のホログラム模様が外袋を通じて目視できると共に当該ホログラム模様と外袋の模様とが組み合わさって、立体的で、装飾性豊かな模様が現出する二重袋型包装袋を提供する。【解決手段】ホログラム模様の二重袋型包装袋Ａは、上方に開口部１ａを有し、両側部３，４及び底部２が閉塞してなる内袋１０と外袋１５とからなり、内袋１０は、ポリエチレンフィルム層上にアルミニウム蒸着層を形成し、該アルミニウム蒸着層上に、ポリプロピレンフィルム層を形成してなるホログラムシートにより形成され、外袋１５は、ポリプロピレンフィルムに透光性部分１５ｃを有する模様が配されてなる模様シートにより形成され、内袋１０と外袋１５の両側部３，４がそれぞれの端部を重ね合わして溶着されてなる。【選択図】図１
0003148644.tif 000002
【実用新案登録請求の範囲】
【請求項１】
上方に開口部を有し、両側部及び底部が閉塞してなる内袋と外袋とからなり、
内袋は、ポリエチレンフィルム層上にアルミニウム蒸着層を形成し、該アルミニウム蒸着層上に、ポリプロピレンフィルム層を形成してなる厚さ２０μｍ〜５０μｍのホログラムシートにより形成され、
外袋は、ポリプロピレンフィルムに透光性部分を有する模様が配されてなる模様シートにより形成され、
内袋と外袋の両側部がそれぞれの端部を重ね合わして溶着されてなる、
ことを特徴とするホログラム模様の二重袋型包装袋。
【請求項２】
模様シートを構成するポリプロピレンフィルムの厚みが１５μｍ〜５０μｍであることを特徴とする請求項２に記載のホログラム模様の二重袋型包装袋。
【請求項３】
内袋及び外袋の各底部に襠を有することを特徴とする請求項１又は２に記載のホログラム模様の二重袋型包装袋。
【請求項４】
開口部より幾分下がった位置に、所定間隔をあけて幅方向に２本平行に配され、かつ、内袋の外面と外袋の内面とを接着してなる接着線と、２本の接着線の間における両側部の一部を欠落させてなる側部開口部とからなり、２本の接着線の間における表裏の内袋と外袋との各隙間をそれぞれ紐挿通路とする紐挿通部が形成されてなることを特徴とする請求項１〜３のいずれか１項に記載のホログラム模様の二重袋型包装袋。
【請求項５】
紐挿通部において、一方の側部開口部から表側の紐挿通路を経て他方の側部開口部にて折返し、裏側の紐挿通路を経て前記一方の側部開口部の外部に達する第１紐と、前記他方の側部開口部から表側の紐挿通路を経て前記一方の側部開口部にて折返し、裏側の紐挿通路を経て前記他方の側部開口部の外部に達する第２紐とを有することを特徴とする請求項４に記載のホログラム模様の二重袋型包装袋。
【考案の詳細な説明】
【技術分野】
【０００１】
本考案は、二重袋に関し、特に、内袋がホログラム模様を有するホログラムシートにより構成され、外袋が透光性部分を有する模様シートにより構成され、外袋の透光性部分から内袋のホログラム模様が目視できるようにしたホログラム模様の二重袋型包装袋に関する。
【背景技術】
【０００２】
光の干渉を利用して特殊な装飾画像を表現するホログラムは独特な印象を与えるため、優れた装飾効果を有することが知られている。また、内袋と外袋とからなる二重袋型の包装袋は一般に使用されている。
【考案の開示】
【考案が解決しようとする課題】
【０００３】
しかしながら、内袋のホログラム模様と外袋の模様とを組み合わせた立体的な模様を現出した二重袋型包装袋は存在しない。
【０００４】
そこで、本考案者は、内袋のホログラム模様が外袋を通じて目視できると共に当該ホログラム模様と外袋の模様とが組み合わさって、立体的で、装飾性豊かな模様が現出する二重袋型包装袋を考案した。
【課題を解決するための手段】
【０００５】
本考案に係るホログラム模様の二重袋型包装袋は、上方に開口部を有し、両側部及び底部が閉塞してなる内袋と外袋とからなり、内袋は、ポリエチレンフィルム層上にアルミニウム蒸着層を形成し、該アルミニウム蒸着層上に、ポリプロピレンフィルム層を形成してなる厚さ２０μｍ〜５０μｍのホログラムシートにより形成され、外袋は、ポリプロピレンフィルムに透光性部分を有する模様が配されてなる模様シートにより形成され、内袋と外袋の両側部がそれぞれの端部を重ね合わして溶着されてなることを特徴とするものである。
【０００６】
このように構成することにより、内袋と外袋が１回の溶着作業で両側部が溶着された一体成型の二重袋が完成し、内袋を構成するホログラムシートは、例えばアルミニウム蒸着層における型押ししたアルミ箔に光が反射することによりホログラム模様が現出し、該ホログラム模様が外袋の透光性部分から目視できるようになる。また、外袋を構成する模様シートはポリプロピレンフィルム製であり、内袋を構成するホログラムシートはポリエチレンフィルム層とアルミニウム蒸着層とポリプロピレンフィルム層よりなる積層フィルムであるから、防水性及び耐水性がある。また、二重袋にて構成しているので、包装袋としての強度が増している。
【０００７】
また、上記の構成に加え、模様シートを構成するポリプロピレンフィルムの厚みが１５μｍ〜５０μｍの範囲に構成してもよい。このように構成すれば、包装袋としての適度の強度が得られる。ポリプロピレンフィルムの厚みが１５μｍ未満であると、包装袋としての強度が低下し、５０μｍを超えるとごわごわした感触となる。
【０００８】
さらに、上記の構成に加え、内袋及び外袋の各底部に襠を有する構成としてもよい。このように構成すれば、包装袋の内容量が増え、底部に溶着部が存在しないので、底が抜ける心配がない。
【０００９】
さらにまた、上記の構成に加え、開口部より幾分下がった位置に、所定間隔をあけて幅方向に２本平行に配され、かつ、内袋の外面と外袋の内面とを接着してなる接着線と、２本の接着線の間における両側部の一部を欠落させてなる側部開口部とからなり、２本の接着線の間における表裏の内袋と外袋との各隙間をそれぞれ紐挿通路とする紐挿通部が形成されてなる構成としてもよく、さらに、紐挿通部において、一方の側部開口部から表側の紐挿通路を経て他方の側部開口部にて折返し、裏側の紐挿通路を経て前記一方の側部開口部の外部に達する第１紐と、前記他方の側部開口部から表側の紐挿通路を経て前記一方の側部開口部にて折返し、裏側の紐挿通路を経て前記他方の側部開口部の外部に達する第２紐とを有する構成としてもよい。このように構成すれば、簡単に紐付きの包装袋が完成する。
【考案の効果】
【００１０】
上記のように構成した本考案に係るホログラム模様の二重袋型包装袋は、内袋をホログラム模様が外袋を通じて目視できると共に当該ホログラム模様と外袋の模様とが組み合わさって、立体的で、装飾性豊かな模様が現出し、しかも、包装袋内に物品を収納した場合などには、外袋を構成する模様シートが内袋を構成するホログラムシートとずれてより一層立体的な模様となって現れる効果があり、雅趣に富んだ、従来にないデザインを施した付加価値の高いものである。
【考案を実施するための最良の形態】
【００１１】
以下に、本考案に係るホログラム模様の二重袋型包装袋（以下、単に「包装袋」という。）の好適な実施例を添付の図面に基づいて詳細に説明する。
【実施例】
【００１２】
図１は本考案の実施例に係る包装袋の斜視図であり、図２は図１において、本考案の実施例に係る包装袋の紐を挿通していない状態におけるＩＩ−ＩＩ線断面図であり、図３は図１において、本考案の実施例に係る包装袋の紐を挿通していない状態におけるＩＩＩ-ＩＩＩ線断面図であり、図４は図１におけるＩＶ-ＩＶ線断面図であり、図５は図１におけるＶ-Ｖ線断面図であり、図６は図３の部分拡大断面図であり、図７は本考案の実施例に係る包装袋の紐挿通部における第１紐の挿通状態を示す概略断面図であり、図８は本考案の実施例に係る包装袋の紐挿通部における第１紐と第２紐との挿通状態を示す概略断面図であり、図９は本考案の実施例に係る包装袋の紐を挿通していない状態において、外袋を除去した場合の内袋の斜視図であり、図１０は本考案の実施例に係る包装袋の紐を挿通していない状態において、内袋を除去した場合の外袋の斜視図である。なお、各断面図において、ハッチングを施していない断面は透光性部分を表し、ハッチングを施した部分は模様部分を表す。
【００１３】
図１において、Ａは本実施例に係る包装袋であり、該包装袋Ａは、図９に示す内袋１０と図１０に示す外袋１５とからなる二重袋である。内袋１０は、図６に示すように、ポリプロピレンフィルム層１０ａと、型押ししたアルミニウム蒸着による中間層１０ｂと、その内面側のポリエチレンフィルムよりなる内層１０ｃとから構成される厚さ３０μｍのホログラムシートにより構成される。ホログラム模様は型押ししたアルミ箔に光が反射することにより現出する。なお、一方、外袋１５は、厚さ３０μｍの透明のポリプロピレンフィルム製の外層１５ａと、外層１５ａの内側にコーティングされた模様層１５ｂであって、無着色により透光性部分１５ｃを有する模様シートにより構成される。したがって、図１０に示す外袋１５を構成する模様シートにおける無着色の透光性部分１５ｃは外層１５ａが透明であるため、該透光性部分１５ｃから図９に示す内袋１０を構成するホログラムシートのホログラム模様が外部に透けて見え、図１に示す体裁となる。
【００１４】
該包装袋Ａは、図２に示されるように、上部１が開放した開口部１ａを有し、底部２は閉塞されていて、内方に二つ折りの襠部２ａが形成されている。また、該包装袋Ａは、図３〜図５に示すように、左側部３及び右側部４が、それぞれ内袋１０のホログラムシート端部を外袋１５の模様シート端部により挟み込んだ状態で重ね合わせて超音波溶着により溶着されて左側部側溶着部３ａ及び右側部側溶着部４ａを形成することにより閉塞されている。すなわち、外袋１５の模様シートを形成するポリプロピレンフィルムと内袋１０におけるホログラムシートのポリプロピレンフィルム層１０ａとが溶着し、内袋１０におけるホログラムシートの内層１０ｃを形成するポリエチレンフィルム同士が溶着することにより、左側部側溶着部３ａ及び右側部側溶着部４ａが形成され、左側部３及び右側部４が閉塞される。
【００１５】
このように、本実施例に係る包装袋Ａは、上方に開口部１ａを有し、両側部３、４が閉塞してなる内袋１０と外袋１５とから構成されており、内袋１０は、ポリプロピレンフィルム層１０ａと、型押ししたアルミニウム蒸着による中間層１０ｂと、その内面側のポリエチレンフィルムよりなる内層１０ｃとから構成されるホログラム模様が現出するホログラムシートにより形成され、外袋１５は、透明のポリプロピレンフィルム製の外層１５ａと、外層１５ａの内側にコーティングされた模様層１５ｂであって、無着色により透光性部分１５ｃを有する模様シートにより構成され、内袋１０と外袋１５の両側部３、４がそれぞれの端部を重ね合わして溶着されてなるものである。なお、上記の内袋１０を形成するホログラムシートとしては、ポリプロピレンフィルム層１０ａと、型押ししたアルミニウム蒸着による中間層１０ｂと、その内面側のポリエチレンフィルムよりなる内層１０ｃとから構成されるホログラムシートを採用したが、ホログラム模様が表面に現出する構成であって、外袋１５と熱溶着可能であり、内袋同士も熱溶着可能な材質であれば、どのような構成でも可能である。
【００１６】
本実施例における包装袋Ａは、図２に示すように、開口部１ａより幾分下がった位置に、内袋１０の外面と外袋１５の内面とを接着した上部接着線２０及び下部接着線２１の２本の接着線が、所定間隔をあけて幅方向に平行に配されている。また、上部接着線２０及び下部接着線２１の２本の接着線の間における包装袋Ａの左側部３及び右側部４の一部を欠落させて左側部開口部２２及び右側部開口部２３が形成されている。このように構成することにより、２本の接着線２０、２１の間において、包装袋Ａの表側における内袋１０の一部であるホログラムシート部２４ｐと外袋１５の一部である模様シート部２４ｑとの隙間を表側紐挿通路２４とし、包装袋Ａの裏側における内袋１０の一部であるホログラムシート部２５ｐと外袋１５の一部である模様シート部２５ｑとの隙間を裏側紐挿通路２５とする紐挿通部２６が形成される。
【００１７】
そして、該紐挿通部２６において、図７に示すように、左側部開口部２２から表側紐挿通路２４を経て右側部開口部２３にて折返し、裏側紐挿通路２５を経て左側部開口部２２の外部に達する第１紐３０が配されている。また、図８に示すように、右側部開口部２３から表側紐挿通路２４を経て左側部開口部２２にて折返し、裏側紐挿通路２５を経て右側部開口部２３の外部に達する第２紐３１とが配されている。このように本実施例に係る包装袋Ａは、紐付き袋の形態をなすものである。
【００１８】
本実施例における包装袋Ａを上記のように構成することにより、内袋１０と外袋１５が１回の溶着作業で両側部３、４が溶着された一体成型の二重袋が完成し、内袋１０を構成するホログラムシートの模様が透光性部分を有する模様シートよりなる外袋１５を介して目視できるようになる。また、外袋１５を構成する模様シートはポリプロピレンフィルム製であり、内袋１０を構成するホログラムシートはポリエチレンフィルム層とアルミニウム蒸着層とポリプロピレンフィルム層よりなる積層フィルムであるから、防水性及び耐水性がある。また、二重袋にて構成しているので、包装袋としての強度が増している。
【００１９】
本実施例においては、内袋１０を構成するホログラムシートを３０μｍとしたが、これに限られるものではなく、２０μｍ〜５０μｍの範囲であればよい。また、外袋１５を構成するポリプロピレンフィルムの厚みを３０μｍとしたが、これに限られるものではなく、１５μｍ〜５０μｍの範囲であれば、包装袋としての適度の強度が得られる。ポリプロピレンフィルムの厚みが１５μｍ未満であると、包装袋としての強度が低下し、５０μｍを超えるとごわごわした感触となる。
【００２０】
本実施例においては、内袋１０及び外袋１５の各底部２に襠部２ａを有する構成としており、包装袋Ａの内容量が増えても、底部２に溶着部が存在しないので、底が抜ける心配がない。
【００２１】
また、本実施例においては、紐付き包装袋の形態をなすものを例示したが、これに限られるものではなく、上部開口の矩形型包装袋、上部に蓋を延設して開閉可能にした封筒型の包装袋でもよく、また、紐付き袋の形態においても、１本のみの紐を挿通してもよく、また、上部開口部１ａの周囲に閉じ紐を設けたものでもよい。
【図面の簡単な説明】
【００２２】
【図１】本考案の実施例に係る包装袋の斜視図である。
【図２】図１において、本考案の実施例に係る包装袋の紐を挿通していない状態におけるＩＩ−ＩＩ線断面図である。
【図３】図１において、本考案の実施例に係る包装袋の紐を挿通していない状態におけるＩＩＩ-ＩＩＩ線断面図である。
【図４】図１におけるＩＶ-ＩＶ線断面図である。
【図５】図１におけるＶ-Ｖ線断面図である。
【図６】図３の部分拡大断面図である。
【図７】本考案の実施例に係る包装袋の紐挿通部における第１紐の挿通状態を示す概略断面図である。
【図８】本考案の実施例に係る包装袋の紐挿通部における第１紐と第２紐との挿通状態を示す概略断面図である。
【図９】本考案の実施例に係る包装袋の紐を挿通していない状態において、外袋を除去した場合の内袋の斜視図である。
【図１０】本考案の実施例に係る包装袋の紐を挿通していない状態において、内袋を除去した場合の外袋の斜視図である。
【符号の説明】
【００２３】
Ａ・・・・包装袋
１・・・・上部
１ａ・・・開口部
２・・・・底部
２ａ・・・襠部
３・・・・左側部
３ａ・・・左側部側溶着部
４・・・・右側部
４ａ・・・右側部側溶着部
１０・・・内袋
１０ａ・・ホログラム模様層
１０ｂ・・中間層
１０ｃ・・内層
１５・・・外袋
１５ａ・・外層
１５ｂ・・模様層
１５ｃ・・透光性部分
２０・・・上部接着線
２１・・・下部接着線
２２・・・左側部開口部
２３・・・右側部開口部
２４ｐ・・ホログラムシート部
２４ｑ・・模様シート部
２４・・・表側紐挿通路
２５ｐ・・ホログラムシート部
２５ｑ・・模様シート部
２５・・・裏側紐挿通路
２６・・・紐挿通部
３０・・・第１紐
３１・・・第２紐
【図１】
0003148644.tif 000003
【図２】
0003148644.tif 000004
【図３】
0003148644.tif 000005
【図４】
0003148644.tif 000006
【図５】
0003148644.tif 000007
【図６】
0003148644.tif 000008
【図７】
0003148644.tif 000009
【図８】
0003148644.tif 000010
【図９】
0003148644.tif 000011
【図１０】
0003148644.tif 000012
【手続補正書】
【提出日】平成20年12月10日(2008.12.10)
【手続補正１】
【補正対象書類名】実用新案登録請求の範囲
【補正対象項目名】請求項２
【補正方法】変更
【補正の内容】
【請求項２】
模様シートを構成するポリプロピレンフィルムの厚みが１５μｍ〜５０μｍであることを特徴とする請求項１に記載のホログラム模様の二重袋型包装袋。